(57)【要約】【課題】  非特定ユーザの在圏状況を管理して、新たなサービスを提供することを可能とする移動通信システム、ネットワーク装置及び移動通信方法を提供する。【解決手段】  移動通信システム１００は、特定ユーザに対してサービスの提供が許可可能に構成され、特定ユーザ以外の非特定ユーザに対するサービスの提供が制限可能に構成された特定セルを有する。移動通信システム１００は、特定セルにおける特定ユーザの在圏状況に加えて、特定セルにおける非特定ユーザの在圏状況を管理するように構成された管理部２３を備える。【選択図】  図２
2011130389.tif 000002
【特許請求の範囲】
【請求項１】
特定ユーザに対してサービスの提供が許可可能に構成され、前記特定ユーザ以外の非特定ユーザに対するサービスの提供が制限可能に構成された特定セルを有する移動通信システムであって、
前記特定セルにおける前記特定ユーザの在圏状況に加えて、前記特定セルにおける前記非特定ユーザの在圏状況を管理するように構成された管理部を備えることを特徴とする移動通信システム。
【請求項２】
前記特定セルに対する前記非特定ユーザのアタッチ処理、前記特定セルに対する前記非特定ユーザの位置登録、前記特定セルに対する前記非特定ユーザの通信呼設定完了を検出するように構成された検出部をさらに備え、
前記管理部は、前記検出部の検出結果に応じて、前記非特定ユーザが前記特定セルに在圏中であることを管理することを特徴とする請求項１に記載の移動通信システム。
【請求項３】
前記特定セルに対する前記非特定ユーザのデタッチ処理、前記特定セルに対する前記非特定ユーザの位置登録失敗、前記特定セルに対する前記非特定ユーザの通信呼設定解除を検出するように構成された検出部をさらに備え、
前記管理部は、前記検出部の検出結果に応じて、前記非特定ユーザが前記特定セルに非在圏中であることを管理することを特徴とする請求項１に記載の移動通信システム。
【請求項４】
前記特定セル以外のセルに対する前記非特定ユーザのアタッチ処理、前記特定セル以外のセルに対する前記非特定ユーザの位置登録、前記特定セル以外のセルに対する前記非特定ユーザの通信呼設定完了を検出するように構成された検出部をさらに備え、
前記管理部は、前記検出部の検出結果に応じて、前記非特定ユーザが前記特定セルに非在圏中であることを管理することを特徴とする請求項１に記載の移動通信システム。
【請求項５】
前記特定セルにおいて、予め定められた特定ユーザの在圏が検出された場合に、前記管理部によって管理される前記及び前記非特定ユーザの在圏状況を通知するように構成された通知部をさらに備えることを特徴とする請求項１に記載の移動通信システム。
【請求項６】
前記特定セルにおいて、予め定められた特定ユーザの非在圏が検出された場合に、前記管理部によって管理される前記特定ユーザ及び前記非特定ユーザの在圏状況を通知するように構成された通知部をさらに備えることを特徴とする請求項１に記載の移動通信システム。
【請求項７】
特定ユーザに対してサービスの提供が許可可能に構成され、前記特定ユーザ以外の非特定ユーザに対するサービスの提供が制限可能に構成された特定セルを有する移動通信システムに設けられるネットワーク装置であって、
前記特定セルにおける前記特定ユーザの在圏状況に加えて、前記特定セルにおける前記非特定ユーザの在圏状況を管理するように構成された管理部を備えることを特徴とするネットワーク装置。
【請求項８】
特定ユーザに対してサービスの提供が許可可能に構成され、前記特定ユーザ以外の非特定ユーザに対するサービスの提供が制限可能に構成された特定セルを有する移動通信システムに適用される移動通信方法であって、
前記特定セルにおける前記特定ユーザの在圏状況に加えて、前記特定セルにおける前記非特定ユーザの在圏状況を管理するステップを備えることを特徴とする移動通信方法。
【発明の詳細な説明】
【技術分野】
【０００１】
本発明は、特定ユーザに対してサービスの提供が許可可能に構成された特定セルを有する移動通信システム、移動通信システムで用いられるネットワーク装置及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定ユーザ（ＵＥ；Ｕｓｅｒ  Ｅｑｕｉｐｍｅｎｔ）に対するサービスの提供のみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的なマクロセルと同様に、全てのユーザに対するサービスの提供が許可されるように構成される（例えば、非特許文献１）。
【先行技術文献】
【非特許文献】
【０００４】
【非特許文献１】３ＧＰＰ  ＴＳ３６．３３１  ｖ８．６．０
【発明の概要】
【発明が解決しようとする課題】
【０００５】
一方で、特定ユーザに対してのみサービスの提供が許可される特定セルでは、非特定ユーザの在圏状況が管理されていない。
【０００６】
そこで、本発明は、上述した課題を解決するためになされたものであり、非特定ユーザの在圏状況を管理して、新たなサービスを提供することを可能とする移動通信システム、ネットワーク装置及び移動通信方法を提供することを目的とする。
【課題を解決するための手段】
【０００７】
第１の特徴に係る移動通信システムは、特定ユーザに対してサービスの提供が許可可能に構成され、前記特定ユーザ以外の非特定ユーザに対するサービスの提供が制限可能に構成された特定セルを有する。移動通信システムは、前記特定セルにおける前記特定ユーザの在圏状況に加えて、前記特定セルにおける前記非特定ユーザの在圏状況を管理するように構成された管理部を備える。
【０００８】
第１の特徴において、移動通信システムは、前記特定セルに対する前記非特定ユーザのアタッチ処理、前記特定セルに対する前記非特定ユーザの位置登録、前記特定セルに対する前記非特定ユーザの通信呼設定完了を検出するように構成された検出部をさらに備える。前記管理部は、前記検出部の検出結果に応じて、前記非特定ユーザが前記特定セルに在圏中であることを管理する。
【０００９】
第１の特徴において、移動通信システムは、前記特定セルに対する前記非特定ユーザのデタッチ処理、前記特定セルに対する前記非特定ユーザの位置登録失敗、前記特定セルに対する前記非特定ユーザの通信呼設定解除を検出するように構成された検出部をさらに備える。前記管理部は、前記検出部の検出結果に応じて、前記非特定ユーザが前記特定セルに非在圏中であることを管理する。
【００１０】
第１の特徴において、移動通信システムは、前記特定セル以外のセルに対する前記非特定ユーザのアタッチ処理、前記特定セル以外のセルに対する前記非特定ユーザの位置登録、前記特定セル以外のセルに対する前記非特定ユーザの通信呼設定完了を検出するように構成された検出部をさらに備える。前記管理部は、前記検出部の検出結果に応じて、前記非特定ユーザが前記特定セルに非在圏中であることを管理する。
【００１１】
第１の特徴において、移動通信システムは、前記特定セルにおいて、予め定められた特定ユーザの在圏が検出された場合に、前記管理部によって管理される前記特定ユーザ及び前記非特定ユーザの在圏状況を通知するように構成された通知部をさらに備える。
【００１２】
第１の特徴において、前記特定セルにおいて、予め定められた特定ユーザの非在圏が検出された場合に、前記管理部によって管理される前記特定ユーザ及び前記非特定ユーザの在圏状況を通知するように構成された通知部をさらに備える。
【００１３】
第２の特徴に係るネットワーク装置は、特定ユーザに対してサービスの提供が許可可能に構成され、前記特定ユーザ以外の非特定ユーザに対するサービスの提供が制限可能に構成された特定セルを有する移動通信システムに設けられる。ネットワーク装置は、前記特定セルにおける前記特定ユーザの在圏状況に加えて、前記特定セルにおける前記非特定ユーザの在圏状況を管理するように構成された管理部を備える。
【００１４】
第３の特徴に係る移動通信方法は、特定ユーザに対してサービスの提供が許可可能に構成され、前記特定ユーザ以外の非特定ユーザに対するサービスの提供が制限可能に構成された特定セルを有する移動通信システムに適用される。移動通信方法は、前記特定セルにおける前記特定ユーザの在圏状況に加えて、前記特定セルにおける前記非特定ユーザの在圏状況を管理するステップを備える。
【発明の効果】
【００１５】
本発明によれば、非特定ユーザの在圏状況を管理して、新たなサービスを提供することを可能とする移動通信システム、ネットワーク装置及び移動通信方法を提供することができる。
【図面の簡単な説明】
【００１６】
【図１】第１実施形態に係る移動通信システム１００を示す図である。
【図２】第１実施形態に係るネットワーク装置２０を示す図である。
【図３】第１実施形態に係る移動通信システム１００の動作を示すシーケンス図である。
【図４】第１実施形態に係る移動通信システム１００の動作を示すシーケンス図である。
【図５】変更例１に係る移動通信システム１００を示す図である。
【発明を実施するための形態】
【００１７】
以下において、本発明の実施形態に係る移動通信システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る移動通信システムは、特定ユーザに対してサービスの提供が許可されており、特定ユーザ以外の非特定ユーザに対するサービスの提供が制限された特定セルを有する。移動通信システムは、特定セルにおける特定ユーザの在圏状況に加えて、特定セルにおける非特定ユーザの在圏状況を管理するように構成された管理部を備える。
【００２０】
実施形態では、管理部は、特定セルにおける特定ユーザの在圏状況に加えて、特定セルにおける非特定ユーザの在圏状況を管理する。これによって、非特定ユーザの在圏状況を管理して、新たなサービスを提供することができる。
【００２１】
なお、新しいサービスは、例えば、（１）特定セルを管理するユーザに対して、特定ユーザ及び非特定ユーザの在圏状況を通知するサービス（報告サービス）、（２）警備会社等の管理者に対して、特定ユーザ及び非特定ユーザの在圏状況を通知するサービス（安全サービス）、（３）特定ユーザ及び非特定ユーザの在圏状況に応じて、特定セルが設けられる建物や部屋の入口を施錠するサービス（施錠サービス）、（４）特定ユーザ及び非特定ユーザの在圏状況に応じて、特定セルの近傍に設けられた家電を制御するサービス（ホームネットワークサービス）などである。
【００２２】
なお、実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって構成されるセルであることが好ましい。
【００２３】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２４】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２５】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００２６】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００２７】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００２８】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００２９】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３０】
ＮＢ１１０Ａは、マクロセル１１１Ａを有しており、マクロセル１１１Ａに存在するＵＥ１０と無線通信を行う装置（ＮｏｄｅＢ）である。
【００３１】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３２】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３３】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３４】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３５】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００３６】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００３７】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００３８】
ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。
【００３９】
なお、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００４０】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４１】
「Ｃｌｏｓｅｄ」の特定セルは、特定セルによって管理される特定ユーザに対するサービスの提供のみが許可されるように構成される。
【００４２】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４３】
「Ｏｐｅｎ」の特定セルは、マクロセルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００４４】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４５】
ここで、いずれのアクセス種別が設定されている場合であっても、特定セルに特定ユーザが関連付けられていることが好ましい。また、「Ｃｌｏｓｅｄ」が設定された特定セルであっても、特定セルに対する非特定ユーザのアタッチ処理、特定セルに対する非特定ユーザの位置登録が許容されることが好ましい。
【００４６】
（ネットワーク装置の構成）
以下において、第１実施形態に係るネットワーク装置の構成について、図面を参照しながら説明する。図２は、第１実施形態に係るネットワーク装置２０を示す図である。図２に示すように、ネットワーク装置２０は、通信部２１と、検出部２２と、管理部２３とを有する。
【００４７】
なお、ネットワーク装置２０は、特定セルを管理する装置（例えば、ＨＮＢ１１０Ｂ、ＨｅＮＢ２１０Ｂ）であってもよい。或いはネットワーク装置２０は、特定セルを管理する装置の上位に設けられた装置（例えば、ＲＮＣ１２０Ａ、ＨＮＢ−ＧＷ１２０Ｂ、ＳＧＳＮ１３０、ＨｅＮＢ−ＧＷ２２０Ｂ、ＭＭＥ２３０）であってもよい。
【００４８】
通信部２１は、ＵＥ１０と通信を行う。また、通信部２１は、他のネットワーク装置と通信を行う。
【００４９】
例えば、通信部２１は、予め定められたユーザ（例えば、家主や保護者）に対して、後述する管理部２３によって管理されるＵＥ１０の在圏状況を通知する。或いは、通信部２１は、予め定められた装置（例えば、サービス提供サーバ）に対して、後述する管理部２３によって管理されるＵＥ１０の在圏状況を通知する。なお、サービス提供サーバは、報告サービス、安全サービス、施錠サービス又はホームネットワークサービスを提供するサーバである。
【００５０】
具体的には、通信部２１は、予め定められた特定ユーザの在圏が検出された場合に、予め定められたユーザ又は装置に対して、管理部２３によって管理されるＵＥ１０の在圏状況を通知する。或いは、通信部２１は、予め定められた特定ユーザの在圏が検出された場合に、予め定められたユーザ又は装置に対して、管理部２３によって管理されるＵＥ１０の在圏状況を通知する。なお、予め定められた特定ユーザは、特定セルに関連づけられた全ての特定ユーザであってもよく、特定セルに関連付けられた一部の特定ユーザであってもよい。
【００５１】
検出部２２は、特定セルにおけるＵＥ１０（特定ユーザ或いは非特定ユーザ）の在圏状況を検出する。具体的には、検出部２２は、以下の処理によって、特定ユーザ及び非特定ユーザの在圏状況を検出する。
【００５２】
第１に、検出部２２は、特定セルに対する非特定ユーザのアタッチ処理、特定セルに対する非特定ユーザの位置登録、特定セルに対する非特定ユーザの通信呼設定完了を検出する。同様に、検出部２２は、特定セルに対する特定ユーザのアタッチ処理、特定セルに対する特定ユーザの位置登録、特定セルに対する特定ユーザの通信呼設定完了を検出する。
【００５３】
第２に、検出部２２は、特定セルに対する非特定ユーザのデタッチ処理、特定セルに対する非特定ユーザの位置登録失敗、特定セルに対する非特定ユーザの通信呼設定解除を検出する。同様に、検出部２２は、特定セルに対する特定ユーザのデタッチ処理、特定セルに対する特定ユーザの位置登録失敗、特定セルに対する特定ユーザの通信呼設定解除を検出する。
【００５４】
第３に、検出部２２は、特定セル以外のセルに対する非特定ユーザのアタッチ処理、特定セル以外のセルに対する非特定ユーザの位置登録、特定セル以外のセルに対する非特定ユーザの通信呼設定完了を検出する。同様に、検出部２２は、特定セル以外のセルに対する特定ユーザのアタッチ処理、特定セル以外のセルに対する特定ユーザの位置登録、特定セル以外のセルに対する特定ユーザの通信呼設定完了を検出する。
【００５５】
ここで、特定セル以外のセルは、特に限定される訳ではないが、特定セルの周囲に設けられるセル（他の特定セル或いは他のマクロセル）である。
【００５６】
管理部２３は、特定セルにおける特定ユーザの在圏状況に加えて、特定セルにおける非特定ユーザの在圏状況を管理する。具体的には、管理部２３は、検出部２２の検出結果に応じて、ＵＥ１０（特定ユーザ或いは非特定ユーザ）が特定セルに在圏中であるか否かを管理する。
【００５７】
第１に、管理部２３は、特定セルに対する非特定ユーザのアタッチ処理の検出、特定セルに対する非特定ユーザの位置登録の検出、特定セルに対する非特定ユーザの通信呼設定完了の検出に応じて、非特定ユーザが特定セルに在圏中であることを管理する。同様に、管理部２３は、特定セルに対する特定ユーザのアタッチ処理の検出、特定セルに対する特定ユーザの位置登録の検出、特定セルに対する特定ユーザの通信呼設定完了の検出に応じて、特定ユーザが特定セルに在圏中であることを管理する。
【００５８】
第２に、管理部２３は、特定セルに対する非特定ユーザのデタッチ処理の検出、特定セルに対する非特定ユーザの位置登録失敗の検出、特定セルに対する非特定ユーザの通信呼設定解除の検出に応じて、非特定ユーザが特定セルに非在圏中であることを管理する。同様に、管理部２３は、特定セルに対する特定ユーザのデタッチ処理の検出、特定セルに対する特定ユーザの位置登録失敗の検出、特定セルに対する特定ユーザの通信呼設定解除の検出に応じて、特定ユーザが特定セルに非在圏中であることを管理する。
【００５９】
第３に、管理部２３は、特定セル以外のセルに対する非特定ユーザのアタッチ処理の検出、特定セル以外のセルに対する非特定ユーザの位置登録の検出、特定セル以外のセルに対する非特定ユーザの通信呼設定完了の検出に応じて、非特定ユーザが特定セルに非在圏中であることを管理する。同様に、管理部２３は、特定セル以外のセルに対する特定ユーザのアタッチ処理の検出、特定セル以外のセルに対する特定ユーザの位置登録の検出、特定セル以外のセルに対する特定ユーザの通信呼設定完了の検出に応じて、特定ユーザが特定セルに非在圏中であることを管理する。
【００６０】
（移動通信システムの動作）
以下において、第１実施形態に係る移動通信システムの動作について、図面を参照しながら説明する。図３及び図４は、第１実施形態に係る移動通信システム１００の動作を示すシーケンス図である。
【００６１】
第１に、通信呼設定手順及び位置登録更新手順について、図３を参照しながら説明する。なお、図３において、無線基地局は、例えば、ＮＢ１１０Ａ、ＨＮＢ１１０Ｂ、ｅＮＢ２１０Ａ又はＨｅＮＢ２１０Ｂである。無線制御装置は、例えば、ＲＮＣ１２０Ａ、ＨＮＢ−ＧＷ１２０Ｂ又はＨｅＮＢ−ＧＷ２２０Ｂである。コアネットワーク装置は、例えば、ＳＧＳＮ１３０又はＭＭＥ２３０である。
【００６２】
また、図３に示す当初の段階において、ＵＥ１０は、いずれかのセルとも通信を行っていない状態（Ｉｄｌｅモード）である。
【００６３】
図３に示すように、ステップ１０において、ＵＥ１０は、無線制御装置に対して、ＵＥ１０と制御装置との間の無線接続要求（ＲＲＣ  Ｃｏｎｎｅｃｔｉｏｎ  Ｒｅｑｕｅｓｔ）を送信する。
【００６４】
ステップ１１において、無線制御装置は、無線基地局に対して、ＵＥ１０と無線基地局との間の無線リンクの設定要求（Ｒａｄｉｏ  Ｌｉｎｋ  Ｓｅｔｕｐ  Ｒｅｑｕｅｓｔ）を送信する。
【００６５】
ステップ１２において、無線基地局は、無線制御装置に対して、ＵＥ１０と無線基地局との間の無線リンクの設定応答（Ｒａｄｉｏ  Ｌｉｎｋ  Ｓｅｔｕｐ  Ｒｅｓｐｏｎｓｅ）を送信する。
【００６６】
ステップ１３において、無線制御装置は、ＵＥ１０に対して、ＵＥ１０と無線制御装置との間の無線接続の設定指示（ＲＲＣ  Ｃｏｎｎｅｃｔｉｏｎ  Ｓｅｔｕｐ）を送信する。
【００６７】
ステップ１４において、ＵＥ１０は、無線制御装置に対して、ＵＥ１０と無線制御装置との間の無線接続の設定完了（ＲＲＣ  Ｃｏｎｎｅｃｔｉｏｎ  Ｓｅｔｕｐ  Ｃｏｍｐｌｅｔｅ）を送信する。
【００６８】
ここで、無線制御装置は、ステップ１４において、ＵＥ１０の通信呼設定完了を検出することができる。すなわち、特定セルに対する通信呼が設定されており、ＵＥ１０が非特定ユーザである場合には、特定セルに対する非特定ユーザの通信呼設定完了が検出される。これによって、非特定ユーザが特定セルに在圏中であることが管理される。一方で、特定セル以外のセルに対する通信呼が設定されており、ＵＥ１０が非特定ユーザである場合には、特定セル以外のセルに対する非特定ユーザの通信呼設定完了が検出される。これによって、非特定ユーザが特定セルに非在圏中であることが管理される。
【００６９】
ステップ１５において、ＵＥ１０は、無線制御装置に対して、最初の上り方向メッセージ（Ｉｎｉｔｉａｌ  Ｄｉｒｅｃｔ  Ｔｒａｎｓｆｅｒ）を送信する。
【００７０】
ステップ１６において、無線制御装置は、コアネットワーク装置に対して、最初のユーザメッセージ（Ｉｎｉｔｉａｌ  ＵＥ  Ｍｅｓｓａｇｅ）を送信する。
【００７１】
ステップ１７において、ＵＥ１０は、コアネットワーク装置に対して、位置登録更新要求（Ｒｏｕｔｉｎｇ  Ａｒｅａ  Ｕｐｄａｔｅ）を送信する。
【００７２】
ステップ１８において、コアネットワーク装置は、ＵＥ１０に対して、認証要求（Ａｕｔｈｅｎｔｉｃａｔｉｏｎ  Ｒｅｑｕｅｓｔ）を送信する。
【００７３】
ステップ１９において、ＵＥ１０は、コアネットワーク装置に対して、認証応答（Ａｕｔｈｅｎｔｉｃａｔｉｏｎ  Ｒｅｓｐｏｎｓｅ）を送信する。
【００７４】
ステップ２０において、コアネットワーク装置は、ＵＥ１０に対して、位置登録更新完了（Ｒｏｕｔｉｎｇ  Ａｒｅａ  Ｕｐｄａｔｅ  Ｃｏｎｆｉｒｍ）を送信する。
【００７５】
ここで、コアネットワーク装置は、ステップ２０において、ＵＥ１０の位置登録を検出することができる。すなわち、特定セルに対する位置登録が行われており、ＵＥ１０が非特定ユーザである場合には、特定セルに対する非特定ユーザの位置登録が検出される。これによって、非特定ユーザが特定セルに在圏中であることが管理される。一方で、特定セル以外のセルに対する位置登録が行われており、ＵＥ１０が非特定ユーザである場合には、特定セル以外のセルに対する非特定ユーザの位置登録が検出される。これによって、非特定ユーザが特定セルに非在圏中であることが管理される。
【００７６】
第２に、ハンドオーバ手順について、図４を参照しながら説明する。なお、図４において、無線基地局は、例えば、ＮＢ１１０Ａ、ＨＮＢ１１０Ｂ、ｅＮＢ２１０Ａ又はＨｅＮＢ２１０Ｂである。無線制御装置は、例えば、ＲＮＣ１２０Ａ、ＨＮＢ−ＧＷ１２０Ｂ又はＨｅＮＢ−ＧＷ２２０Ｂである。
【００７７】
また、図４に示す当初の段階において、ＵＥ１０は、いずれかのセルと通信を既に行っている状態（Ｃｏｎｎｅｃｔｅｄモード）である。
【００７８】
図４に示すように、ステップ３０において、無線制御装置は、ＵＥ１０に対して、ＵＥ１０が捕捉可能な周波数の測定指示（Ｍｅａｓｕｒｅｍｅｎｔ  Ｃｏｎｔｒｏｌ）を送信する。
【００７９】
ステップ３１において、ＵＥ１０は、無線制御装置に対して、ＵＥ１０が捕捉可能な周波数の測定結果（Ｍｅａｓｕｒｅｍｅｎｔ  Ｒｅｐｏｒｔ）を送信する。
【００８０】
ステップ３２において、無線制御装置は、ＵＥ１０が捕捉可能な周波数の測定結果に応じて、ＵＥ１０が利用すべき周波数を選択する。すなわち、無線制御装置は、ハンドオーバ先のセル（ターゲットセル）を選択する。
【００８１】
ステップ３３において、無線制御装置は、ハンドオーバ先のセル（ターゲットセル）を管理する無線基地局に対して、ＵＥ１０と無線基地局との間の無線リンクの設定要求（Ｒａｄｉｏ  Ｌｉｎｋ  Ｓｅｔｕｐ  Ｒｅｑｕｅｓｔ）を送信する。
【００８２】
ステップ３４において、ハンドオーバ先のセル（ターゲットセル）を管理する無線基地局は、無線制御装置に対して、ＵＥ１０と無線基地局との間の無線リンクの設定応答（Ｒａｄｉｏ  Ｌｉｎｋ  Ｓｅｔｕｐ  Ｒｅｓｐｏｎｓｅ）を送信する。
【００８３】
ステップ３５において、無線制御装置は、ＵＥ１０に対して、物理チャネルの再構成指示（Ｐｈｙｓｉｃａｌ  ＣＨ  Ｒｅｃｏｎｆｉｇｕｒａｔｉｏｎ）を送信する。
【００８４】
ステップ３６において、ＵＥ１０は、無線制御装置に対して、物理チャネルの再構成完了（Ｐｈｙｓｉｃａｌ  ＣＨ  Ｒｅｃｏｎｆｉｇｕｒａｔｉｏｎ  Ｃｏｍｐｌｅｔｅ）を送信する。
【００８５】
ステップ３７において、無線制御装置は、ハンドオーバ元のセル（ソースセル）を管理する無線基地局に対して、無線リンクの削除要求（Ｒａｄｉｏ  Ｌｉｎｋ  Ｄｅｌｅｔｉｏｎ  Ｒｅｑｕｅｓｔ）を送信する。
【００８６】
ステップ３８において、ハンドオーバ元のセル（ソースセル）を管理する無線基地局は、無線制御装置に対して、無線リンクの削除応答（Ｒａｄｉｏ  Ｌｉｎｋ  Ｄｅｌｅｔｉｏｎ  Ｒｅｓｐｏｎｓｅ）を送信する。ここでは、ハンドオーバ手順を説明したが、再接続手順や共通チャネル遷移手順などのセル更新（ＣＥＬＬ  ＵＰＤＡＴＥ）手順に実施形態を適用してもよい。
【００８７】
ここで、無線制御装置は、ステップ３８において、ＵＥ１０の通信呼設定解除を検出することができる。すなわち、特定セルに対する通信呼の設定が解除されており、ＵＥ１０が非特定ユーザである場合には、特定セルに対する非特定ユーザの通信呼設定解除が検出される。これによって、非特定ユーザが特定セルに非在圏中であることが管理される。
【００８８】
（作用及び効果）
第１実施形態では、管理部２３は、特定セルにおける特定ユーザの在圏状況に加えて、特定セルにおける非特定ユーザの在圏状況を管理する。これによって、非特定ユーザの在圏状況を管理して、新たなサービスを提供することができる。
【００８９】
なお、新しいサービスは、例えば、（１）特定セルを管理するユーザに対して、特定ユーザ及び非特定ユーザの在圏状況を通知するサービス（報告サービス）、（２）警備会社等の管理者に対して、特定ユーザ及び非特定ユーザの在圏状況を通知するサービス（安全サービス）、（３）特定ユーザ及び非特定ユーザの在圏状況に応じて、特定セルが設けられる建物や部屋の入口を施錠するサービス（施錠サービス）、（４）特定ユーザ及び非特定ユーザの在圏状況に応じて、特定セルの近傍に設けられた家電を制御するサービス（ホームネットワークサービス）などである。
【００９０】
例えば、報告サービスでは、特定セルに在圏すべき特定ユーザ（例えば、子供や年寄り）が特定セルにおいて非在圏中となった場合に、予め定められたユーザ（例えば、保護者等）に在圏状況が通知される。
【００９１】
或いは、報告サービスや安全サービスでは、予め定められた特定ユーザが特定セルに在圏していないにもかかわらず、非特定ユーザが特定セルに在圏している場合に、特定セルを管理するユーザ（例えば、家主）や警備会社に在圏状況が通知される。
【００９２】
或いは、施錠サービスでは、予め定められた全ての特定ユーザが特定セルに在圏していない場合に、特定セルが設けられた入口が施錠される。
【００９３】
或いは、ホームネットワークサービスでは、予め定められた全ての特定ユーザが特定セルに在圏していない場合に、特定セルの近傍に設けられた家電に対する電源供給やガス供給が停止する。
【００９４】
［変更例１］
以下において、第１実施形態の変更例１について、図面を参照しながら説明する。以下においては、第１実施形態との相違点について主として説明する。
【００９５】
具体的には、第１実施形態では、ＨＮＢ１１０Ｂの上位ノードは、ＨＮＢ−ＧＷ１２０Ｂである。一方で、変更例１では、図５に示すように、ＨＮＢ１１０Ｂの上位ノードは、ＲＮＣ１２０Ａである。
【００９６】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【００９７】
また、第１実施形態では、ＨｅＮＢ２１０Ｂの上位ノードは、ＨｅＮＢ−ＧＷ２２０Ｂである。一方で、変更例１では、図５に示すように、ＨｅＮＢ２１０Ｂの上位ノードは、ＭＭＥ２３０である。
【００９８】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【００９９】
なお、ＨＮＢ−ＧＷ１２０Ｂのみが省略されてもよく、ＨｅＮＢ−ＧＷ２２０Ｂのみが省略されてもよい。
【０１００】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０１】
上述した実施形態において、ネットワーク装置２０に設けられた構成（通信部２１、検出部２２、管理部２３）が一つの装置に設けられるケースについて例示した。しかしながら、実施形態は、これに限定されるものではない。すなわち、通信部２１、検出部２２及び管理部２３は、それぞれ、別々な装置に設けられていてもよい。
【０１０２】
例えば、検出部２２は、ＲＮＣ１２０Ａ、ＨＮＢ−ＧＷ１２０Ｂ、ｅＮＢ２１０Ａ、ＨｅＮＢ２１０Ｂ或いはＨｅＮＢ−ＧＷ２２０Ｂなどに設けられていてもよい。管理部２３は、例えば、コアネットワーク５０に設けられたサーバ（例えば、予め定められたユーザ又は装置）に設けられていてもよい。なお、通信部２１は、管理部２３を有する装置に設けられることが好ましい。
【０１０３】
各装置間の通信では、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＮＢＡＰ（Ｎｏｄｅ  Ｂ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＨＮＢＡＰ（Ｈｏｍｅ  Ｎｏｄｅ  Ｂ  Ａｐｐｌｉｃａｔｉｏｎ  Ｐａｒｔ）などの制御信号が用いられる。
【０１０４】
なお、上述したＵＥ１０の動作は、ハードウェアによって実施されてもよいし、プロセッサによって実行されるソフトウェアモジュールによって実施されてもよいし、両者の組み合わせによって実施されてもよい。
【０１０５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ１０内に設けられていてもよい。また、かかる記憶媒体及びプロセッサは、ディスクリートコンポーネントとしてＵＥ１０内に設けられていてもよい。
【符号の説明】
【０１０７】
１０…通信端末装置、２０…ネットワーク装置、２１…通信部、２２…検出部、２３…管理部、５０…コアネットワーク、１００…移動通信システム、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ
【図１】
2011130389.tif 000003
【図２】
2011130389.tif 000004
【図３】
2011130389.tif 000005
【図４】
2011130389.tif 000006
【図５】
2011130389.tif 000007